(57)【要約】【課題】本発明は、車両の内装の選択画像を順次組み合せて内装全体の３次元画像を表示しながら段階的に確認して最終的な内装イメージを得ることができる車両内装シミュレーション装置及び方法を提供することを目的とするものである。【解決手段】車内内装シミュレーション装置は、選択されたテーマイメージ画像に基づいて内装全体イメージ画像を生成するテーマ画像処理部１０、選択されたシートの各部位の色柄に基づいて内装全体イメージ画像にシート画像を合成して内装主要イメージ画像を生成するシート画像処理部１１、選択された加飾パーツの色柄に基づいて内装主要イメージ画像に加飾画像を合成して内装最終イメージ画像を生成する加飾画像処理部１２、及び、生成された内装イメージ画像を表示部１に表示するとともに内装イメージ画像に基づいて操作画面を生成して操作入力部４に表示する表示処理部１３を備えている。【選択図】図１
2017182560.tif 000002
【特許請求の範囲】
【請求項１】
車両の内装イメージ画像を表示する表示部と、操作画面を表示して選択操作を行う操作入力部と、選択されたテーマイメージ画像に基づいて前記内装イメージ画像として内装全体イメージ画像を生成するテーマ画像処理部と、選択されたシートの各部位の色柄に基づいて前記内装全体イメージ画像にシート画像を合成して前記内装イメージ画像として内装主要イメージ画像を生成するシート画像処理部と、選択された加飾パーツの色柄に基づいて前記内装主要イメージ画像に加飾画像を合成して前記内装イメージ画像として内装最終イメージ画像を生成する加飾画像処理部と、生成された前記内装イメージ画像を前記表示部に表示するとともに前記内装イメージ画像に基づいて前記操作画面を生成して前記操作入力部に表示する表示処理部とを備えている車内内装シミュレーション装置。
【請求項２】
前記表示処理部は、前記シートの各部位又は前記加飾パーツの複数種類の色柄画像を選択可能に前記操作画面に表示するとともに選択された前記色柄画像を合成した前記内装イメージ画像を３次元画像で車内の視点から内部を見回すように回動しながら前記表示部に表示する請求項１に記載の車内内装シミュレーション装置。
【請求項３】
複数種類のテーマイメージ画像を操作入力部の操作画面に選択可能に表示し、前記操作画面で選択されたテーマイメージ画像に基づいて内装全体イメージ画像を生成して表示部に表示し、シートの各部位の複数種類の色柄画像を前記操作画面に選択可能に表示し、前記操作画面で選択された前記シートの各部位の色柄画像を前記内装全体イメージ画像に合成した内装主要イメージ画像を生成して前記表示部に表示し、加飾パーツの複数種類の色柄画像を前記操作画面に選択可能に表示し、前記操作画面で選択された前記加飾パーツの色柄画像を前記内装主要イメージ画像に合成した内装最終イメージ画像を生成して前記表示部に表示する車内内装シミュレーション方法。
【請求項４】
前記内装全体イメージ画像、前記内装主要イメージ画像及び前記内装最終イメージ画像を３次元画像で車内の視点から内部を見回すように回動しながら前記表示部に表示する請求項３に記載の車内内装シミュレーション方法。
【発明の詳細な説明】
【技術分野】
【０００１】
本発明は、乗用車等の車両の内装を３次元画像で表示して確認することができる車両内装シミュレーション装置及び方法に関する。
【背景技術】
【０００２】
乗用車等の車両を購入する場合、店舗内の展示スペースに配置されたモデル車両を顧客が直接確認したり、試乗して購入するか検討することが一般に行われている。乗用車を購入する場合に、顧客が購入するか否か判断する際の検討事項として、車両としてのデザインや性能の他に車内の内装が重要な事項となっているが、車内の内装については、展示された車両の内装は直接確認できるが、それ以外の内装パターンに関してはカタログ等の写真やイメージ画像で内装をカーシートやアクセサリーといった要素毎に個別に確認するようになっている。そのため、展示車両の内装パターン以外については、顧客が内装パターンを想像するしかなかった。
【０００３】
こうした課題に対応するため、特許文献１では、自動車の外観や内部の装備を立体画像でディスプレイに表示し、外観についてはバーチャルリアリティによる立体画像で様々な角度から表示するようにした点が記載されている。また、特許文献２では、車両にカーオーディオ装置を装着した状態を確認するために、内装等の車両に関する情報と選択されたカーオーディオ装置の情報に基づいてカーオーディオ装置を装着した状態を画像合成により表示する点が記載されている。
【先行技術文献】
【特許文献】
【０００４】
【特許文献１】特開２００５−０８４７５３号公報
【特許文献２】特開２００４−２２０２４５号公報
【発明の概要】
【発明が解決しようとする課題】
【０００５】
上記特許文献１では、自動車の外観をバーチャルリアリティによる立体画像で表示することで、展示していない自動車についても顧客が外観を確認して具体的なイメージを把握することができるが、内装については正面から見た静止画像のみであり、具体的なイメージを把握することが困難である。また、特許文献２では、内装に関する情報を加味してカーオーディオ装置の装着画像を表示するようにしているが、内装全体のイメージを具体的に把握することは難しい。
【０００６】
乗用車等の車両の内装に関する技術分野では、近年、多様な顧客ニーズに対応するためカーシート、インパネ等の内装部位の色合い、柄模様について様々な組み合わせを提案することが可能となっている。特に、こうした内装部材に対してインクジェットプリント技術を用いて様々な色合いや柄模様をプリントすることが可能となっており、顧客の要望にきめ細かく対応したオリジナルな内装を実現することができるようになってきている。
【０００７】
しかしながら、内装の各部位の色合いや柄模様といった表示パターンが増加するにしたがい、内装全体の具体的なイメージは各部位の表示パターンの組み合せとなるため、膨大な数の組み合せの内装イメージの中から選択しなければならなくなり、顧客が内装イメージを選択する際の負担が増加して好みの内装イメージをなかなか選択できないといった課題がある。
【０００８】
そこで、本発明は、車両の内装の選択画像を順次組み合せて内装全体の３次元画像を表示しながら段階的に確認して最終的な内装イメージを得ることができる車両内装シミュレーション装置及び方法を提供することを目的とするものである。
【課題を解決するための手段】
【０００９】
本発明に係る車両内装シミュレーション装置は、車両の内装イメージ画像を表示する表示部と、操作画面を表示して選択操作を行う操作入力部と、選択されたテーマイメージ画像に基づいて前記内装イメージ画像として内装全体イメージ画像を生成するテーマ画像処理部と、選択されたシートの各部位の色柄に基づいて前記内装全体イメージ画像にシート画像を合成して前記内装イメージ画像として内装主要イメージ画像を生成するシート画像処理部と、選択された加飾パーツの色柄に基づいて前記内装主要イメージ画像に加飾画像を合成して前記内装イメージ画像として内装最終イメージ画像を生成する加飾画像処理部と、生成された前記内装イメージ画像を前記表示部に表示するとともに前記内装イメージ画像に基づいて前記操作画面を生成して前記操作入力部に表示する表示処理部とを備えている。さらに、前記表示処理部は、前記シートの各部位又は前記加飾パーツの複数種類の色柄画像を選択可能に前記操作画面に表示するとともに選択された前記色柄画像を合成した前記内装イメージ画像を３次元画像で車内の視点から内部を見回すように回動しながら前記表示部に表示する。
【００１０】
本発明に係る車内内装シミュレーション方法は、複数種類のテーマイメージ画像を操作入力部の操作画面に選択可能に表示し、前記操作画面で選択されたテーマイメージ画像に基づいて内装全体イメージ画像を生成して表示部に表示し、シートの各部位の複数種類の色柄画像を前記操作画面に選択可能に表示し、前記操作画面で選択された前記シートの各部位の色柄画像を前記内装全体イメージ画像に合成した内装主要イメージ画像を生成して前記表示部に表示し、加飾パーツの複数種類の色柄画像を前記操作画面に選択可能に表示し、前記操作画面で選択された前記加飾パーツの色柄画像を前記内装主要イメージ画像に合成した内装最終イメージ画像を生成して前記表示部に表示する。さらに、前記内装全体イメージ画像、前記内装主要イメージ画像及び前記内装最終イメージ画像を３次元画像で車内の視点から内部を見回すように回動しながら前記表示部に表示する。
【発明の効果】
【００１１】
本発明は、上記の構成を有することで、テーマイメージ画像の選択処理により内装全体イメージ画像を決定することができ、決定された内装全体イメージ画像を表示しながら内装のメインとなる座席に関するシート画像の選択処理を行うことで具体的な内装主要イメージ画像を決定することができ、決定された内装主要イメージ画像を表示しながら加飾画像の選択処理を行うことで、内装主要イメージ画像に合う好みのアクセントを取り入れた内装最終イメージ画像を決定することができる。そのため、車両内装の選択画像を順次組み合せて内装全体の３次元画像を表示しながら段階的に確認して最終的な内装イメージを得ることができる。
【図面の簡単な説明】
【００１２】
【図１】本発明に係る車両内装シミュレーション装置に関する概略構成図である。
【図２】内装イメージ画像の生成処理に関するフローである。
【図３】テーマイメージ画像の選択処理及び内装全体イメージ画像決定処理に関するフローである。
【図４】シート画像の選択処理及び内装主要イメージ画像決定処理に関するフローである。
【図５】加飾画像の選択処理及び内装最終イメージ画像決定処理に関するフローである。
【図６Ａ】表示部及び操作入力部の画面表示例を示す説明図である。
【図６Ｂ】表示部及び操作入力部の画面表示例を示す説明図である。
【図７】表示部及び操作入力部の画面表示例を示す説明図である。
【発明を実施するための形態】
【００１３】
以下、本発明の実施形態について図面を用いて説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る車両内装シミュレーション装置に関する概略構成図である。車両内装シミュレーション装置は、大画面の大型ディスプレイからなるとともに車両の内装イメージ画像を表示する表示部１、車両の内装イメージ画像に関する画像処理を行うとともに選択された内装イメージ画像の表示部１への表示処理及び選択された内装イメージ画像に基づいて生成された操作画面の操作入力部４への表示処理を行う画像表示処理部２、画像処理に必要なデータを保存する記憶部３及びタブレット等の携帯端末からなるとともに操作画面を表示して選択操作を行う操作入力部４を備えている。
【００１５】
画像表示処理部２及び記憶部３は、ＰＣ等の公知の情報処理装置を用いてその機能を実現することが可能であり、例えば、画像表示処理部２は、ＣＰＵ、ＲＡＭメモリ等のハードウェアを用いて機能を実現することができ、記憶部３は、ハードディスク等のハードウェアを用いて実現することができる。また、こうした情報処理装置を通信ネットワークを介して表示部１となる大型ディスプレイや操作入力部４となる携帯端末と接続して車両内装シミュレーション装置を構成することもできる。
【００１６】
画像表示処理部２は、選択されたテーマイメージ画像に基づいて内装全体イメージ画像を生成するテーマ画像処理部１０、選択されたシートの各部位の色柄に基づいて内装全体イメージ画像に座席に関するシート画像を合成して内装主要イメージ画像を生成するシート画像処理部１１、選択された加飾パーツの色柄に基づいて内装主要イメージ画像に加飾画像を合成して内装最終イメージ画像を生成する加飾画像処理部１２、及び、生成された各内装イメージ画像を表示部１に表示するとともに各内装イメージ画像に基づいて操作画面を生成して操作入力部４に表示する表示処理部１３を備えている。
【００１７】
記憶部３は、テーマイメージ画像及びインテリアカラーを付加した内装画像を記憶するテーマ画像ＤＢ２０、シートの各部位の色柄の画像を記憶するシート画像ＤＢ２１、加飾パーツの画像を記憶する加飾画像ＤＢ２２、及び、画像処理に必要なプログラム及びデータ、操作画面の生成に必要なデータ、顧客の選択操作に関するデータ等の管理データを記憶する管理情報ＤＢ２３を備えている。
【００１８】
テーマ画像処理部１０は、選択されたテーマイメージ画像をテーマ画像ＤＢ２０より読み出して画像処理を行う。テーマイメージ画像は、テーマ別の内装イメージを３次元画像として予め作成されており、例えば、「ＮＥＵＴＲＡＬ」、「ＰＲＥＭＩＵＭ」、「ＳＰＯＲＴ」、「ＡＲＴ＆ＣＡＳＵＡＬ」といった車両のコンセプトに対応するテーマ別にシート形状等の内装デザインが異なる複数種類のテーマイメージ画像が記憶されている。選択されたコンセプトに合わせて複数種類のテーマイメージ画像を抽出して画像処理を行う。
【００１９】
そして、表示処理部１３は、表示部１に対して、複数種類のテーマイメージ画像のうち１つを表示し、操作入力部４に対して、複数種類のテーマイメージ画像を分割ウィンドウに同時に表示して選択操作可能とした操作画面を表示する。操作入力部４に表示された操作画面で選択されたテーマイメージ画像は、リアルタイムで表示部１に反映されて表示するように処理し、顧客が複数種類のテーマイメージ画像を大型ディスプレイで確認して好みのものを選択できるようにする。
【００２０】
表示処理部１３は、顧客が１つのテーマイメージ画像を選択してベースモデル画像を決定する操作を行うと、表示部１に対して決定されたベースモデル画像を３次元画像で表示するとともに、車内の視点から撮影カメラで内部を見回すように３次元画像を回動させながら動画表示する。
【００２１】
ベースモデル画像が決定された後、テーマ画像処理部１０は、ベースモデル画像に対応した複数種類のインテリアカラーを抽出し、抽出したインテリアカラーをそれぞれ付加した複数の内装全体イメージ画像を生成する。インテリアカラーについては、テーマ別に好ましい色の組み合せとなるように関連付ける設定データが予め管理情報ＤＢ２３に登録されており、テーマ画像処理部１０は、設定データに基づいてインテリアカラーを抽出して内装全体イメージ画像を生成するようになっている。
【００２２】
そして、表示処理部１３は、操作入力部４に対して、複数の内装全体イメージ画像を分割ウィンドウに同時に表示して選択操作可能とした操作画面を表示する。操作入力部４に表示された操作画面で選択操作が行われた場合、選択された内装全体イメージ画像は、リアルタイムで表示部１に動画表示されているベースモデル画像に反映されるように処理し、顧客が選択された内装全体イメージ画像を大型ディスプレイで様々な角度から確認して好みのものを決定できるようにする。
【００２３】
表示処理部１３は、操作入力部４において選択された内装全体イメージ画像を決定する操作が行われた場合、表示部１に対して、決定された内装全体イメージ画像を３次元画像で表示するとともに、車内の視点から撮影カメラで内部を見回すように３次元画像を回動させながら動画表示を継続する。そして、選択データ、選択された画像の表示時間、決定データ等の選択操作に関するデータが管理情報ＤＢ２３に記憶される。
【００２４】
シート画像処理部１１は、決定された内装全体イメージ画像に対して、シート画像ＤＢ２１からシート画像を読み出して選択されたシートの各部位の素材や色に対応する色柄画像を貼り付けて合成する画像処理を行う。シートの外形を示す３次元形状は内装全体イメージ画像により決定されているので、シートの背面部分及び座面部分に対応するメイン部位、メイン部位の両側のサイド部位及びヘッドレストのヘッド部位に関する色柄画像を読み出してシートの外形形状に合わせて貼り付けることで内装主要イメージ画像を生成する。シートの各部位の色柄画像については、内装全体イメージ画像に合わせて好ましい組み合せとなるように関連付けた設定データが予め管理情報ＤＢ２３に登録されており、シート画像処理部１１は、設定データに基づいて各部位の色柄画像を抽出して内装主要イメージ画像を生成するようになっている。また、シート画像処理部１１は、内装全体イメージ画像を用いて各部位を選択する操作画面用の白抜きの３次元画像を生成する。
【００２５】
そして、表示処理部１３は、表示部１に対して、決定された内装全体イメージ画像の３次元画像による動画表示を継続するように処理し、操作入力部４に対して、白抜きの３次元画像を用いて選択可能な部位を識別可能に表示した各部位の選択操作画面及び各部位に関する複数種類の色柄画像を分割ウィンドウに同時に表示して選択操作可能とした操作画面を表示する。そして、各部位の選択操作画面では、シートの背面部分に対向する方向の視点から見た３次元画像で表示し、顧客がシートの色柄が最も見やすい方向から確認できるようにしている。
【００２６】
操作入力部４では、各部位の選択操作画面が表示されて１つの部位の選択操作が行われた場合、選択された部位に関する複数種類の色柄画像を表示する操作画面を表示する。そして、１つの色柄画像の選択操作が行われた場合に、表示部１に動画表示されている内装全体イメージ画像に対して選択された色柄画像を選択された部位に貼り付けてリアルタイムで反映されるように処理し、顧客が選択された色柄画像をシートの選択された部位に貼り付けた３次元画像を大型ディスプレイで様々な角度から確認して好みのものを決定できるようにする。
【００２７】
表示処理部１３は、操作入力部４において選択された部位の選択された色柄画像を決定する操作が行われた場合、表示部１に対して、決定された色柄画像を貼り付けた内装全体イメージ画像を３次元画像で回動させながら動画表示を継続する。そして、操作入力部４に対して、白抜きの３次元画像を用いて選択可能な部位を識別可能に表示した各部位の選択操作画面を表示し、次の部位の選択操作を行うように誘導する。次の部位が選択操作された場合、選択された部位に関する複数種類の色柄画像を表示する操作画面を表示し、以後前回の部位の場合と同様の表示処理を行い、選択された部位の色柄画像を決定する。
【００２８】
操作入力部４においてシートのすべての部位に関する色柄画像を決定する操作が行われた場合に、シート画像処理部１１は、決定された色柄画像を貼り付けて合成された内装主要イメージ画像を３次元画像で生成し、表示処理部１３は、表示部１に対して、決定された内装主要イメージ画像を３次元画像で表示するとともに、車内の視点から撮影カメラで内部を見回すように３次元画像を回動させながら動画表示を継続する。そして、選択データ、選択された画像の表示時間、決定データ等の選択操作に関するデータが管理情報ＤＢ２３に記憶される。
【００２９】
加飾画像処理部１２は、決定された内装主要イメージ画像に対して、加飾画像ＤＢ２２から加飾画像を読み出して選択された加飾パーツの素材や色に対応する色柄画像を貼り付けて合成する画像処理を行う。加飾パーツとしては、インパネ、シートアクセント、コンソールといった部位が挙げられる。加飾パーツの外形を示す３次元形状は内装主要イメージ画像により決定されているので、加飾パーツに関する色柄画像を読み出してその外形形状に合わせて貼り付けることで内装最終イメージ画像を生成する。加飾パーツの色柄画像については、内装主要イメージ画像に合わせて好ましい組み合せとなるように関連付けた設定データが予め管理情報ＤＢ２３に登録されており、加飾画像処理部１２は、設定データに基づいて加飾パーツの色柄画像を抽出して内装最終イメージ画像を生成するようになっている。また、加飾画像処理部１２は、内装主要イメージ画像を用いて加飾パーツを選択する操作画面用の白抜きの３次元画像を生成する。
【００３０】
そして、表示処理部１３は、表示部１に対して、決定された内装主要イメージ画像の３次元画像による動画表示を継続するように処理し、操作入力部４に対して、白抜きの３次元画像を用いて加飾パーツの選択可能な部位を識別可能に表示した加飾パーツの選択操作画面及び加飾パーツに関する複数種類の色柄画像を分割ウィンドウに同時に表示して選択操作可能とした操作画面を表示する。そして、加飾パーツの選択操作画面では、加飾パーツの正面に対向する方向の視点から見た３次元画像で表示し、顧客が加飾パーツの色柄が最も見やすい方向から確認できるようにしている。
【００３１】
操作入力部４では、加飾パーツの選択操作画面が表示されて１つの加飾パーツの選択操作が行われた場合、選択された加飾パーツに関する複数種類の色柄画像を表示する操作画面を表示する。そして、１つの色柄画像の選択操作が行われた場合に、表示部１に動画表示されている内装主要イメージ画像に対して選択された色柄画像を選択された加飾パーツに貼り付けてリアルタイムで反映されるように処理し、顧客が選択された色柄画像を選択された加飾パーツに貼り付けた３次元画像を大型ディスプレイで様々な角度から確認して好みのものを決定できるようにする。
【００３２】
表示処理部１３は、操作入力部４において選択された加飾パーツの選択された色柄画像を決定する操作が行われた場合、表示部１に対して、決定された色柄画像を貼り付けた内装主要イメージ画像を３次元画像で回動させながら動画表示を継続する。そして、操作入力部４に対して、白抜きの３次元画像を用いて選択可能な加飾パーツを識別可能に表示した加飾パーツの選択操作画面を表示し、次の加飾パーツの選択操作を行うように誘導する。次の加飾パーツが選択操作された場合、選択された加飾パーツに関する複数種類の色柄画像を表示する操作画面を表示し、以後前回の加飾パーツの場合と同様の表示処理を行い、選択された加飾パーツの部位の色柄画像を決定する。
【００３３】
操作入力部４においてすべての加飾パーツに関する色柄画像を決定する操作が行われた場合に、加飾画像処理部１２は、決定された色柄画像を貼り付けて合成された内装最終イメージ画像を３次元画像で生成し、表示処理部１３は、表示部１に対して、決定された内装最終イメージ画像を３次元画像で表示するとともに、車内の視点から撮影カメラで内部を見回すように３次元画像を回動させながら動画表示を継続する。そして、選択データ、選択された画像の表示時間、決定データ等の選択操作に関するデータが管理情報ＤＢ２３に記憶される。
【００３４】
図２は、内装イメージ画像の生成処理に関するフローである。まず、生成処理を開始すると、テーマイメージ画像の選択処理が行われ（Ｓ１００）、内装全体イメージ画像の決定処理が行われる（Ｓ１０１）。次に、シート画像の選択処理が行われ（Ｓ１０２）、内装主要イメージ画像の決定処理が行われる（Ｓ１０３）。そして、加飾画像の選択処理が行われ（Ｓ１０４）、内装最終イメージ画像の決定処理が行われる（Ｓ１０５）。
【００３５】
このように、最初にテーマ別の内装イメージで全体的なイメージを大枠で把握することができるので、顧客が内装の具体的なイメージを持てるようになり、以後の選択処理をスムーズに行うことが可能となる。次に、内装のメインとなるシート画像を選択して内装の主要なイメージを表示することで、顧客が内装イメージを固めることができる。最後に内装の細部のイメージとなる加飾パーツを選択することで、内装イメージの好みのアクセントを決めることができ、顧客が満足する内装イメージを速やかに決定することが可能となる。また、大枠→メイン→細部というように内装を順次組み合せながら決定していくことができるので、顧客が内装の具体的なイメージを把握しやすくなり、内装イメージを段階的に絞り込んで好みの内装全体をスムーズに決定することが可能となる。
【００３６】
図３は、テーマイメージ画像の選択処理及び内装全体イメージ画像決定処理に関するフローである。まず、画像表示処理部２において待機画面表示処理が行われ（Ｓ２００）、表示部１に車両の内装を３次元画像で表示した待機画面が表示される（Ｓ２０１）とともに操作入力部４に操作開始ボタンを表示した待機画面が表示される（Ｓ２０２）。図６Ａ及び図６Ｂは、表示部１及び操作入力部４の画面表示例を示しており、例１には、両者の待機画面例を示している。そして、操作入力部４において操作開始ボタンにタッチされて入力されたかチェックし（Ｓ２０３）、入力されていない場合（Ｓ２０３：ＮＯ）には、待機画面をそのまま表示し、入力があった場合（Ｓ２０３：ＹＥＳ）には、操作開始信号を画像表示処理部２に送信する（Ｓ２０４）。
【００３７】
画像表示処理部２は、操作開始信号を受信すると、テーマ選択画面表示処理を行い（Ｓ２０５）、テーマ選択画面を表示部１に表示する（Ｓ２０６）とともに操作入力部４にもテーマ選択画面を表示する（Ｓ２０７）。図６Ａの例２は、テーマ選択画面例であり、いずれかのテーマを選択するようになっている。操作入力部４では、いずれかのテーマにタッチして選択操作が行われたかチェックし（Ｓ２０８）、選択操作が行われた場合（Ｓ２０８：ＹＥＳ）には、選択データを画像表示処理部２に送信する（Ｓ２０９）。選択操作が行われない場合（Ｓ２０８：ＮＯ）には、ステップＳ２０７に戻り、テーマ選択画面を表示する。
【００３８】
画像表示処理部２は、テーマに関する選択データを受信すると、テーマイメージ画像処理を行い（Ｓ２１０）、記憶部３よりテーマイメージ画像を読み出して画面表示のための処理を行う。そして、テーマイメージ選択操作表示処理を行い（Ｓ２１１）、操作入力部４に送信する。また、テーマイメージ画像表示処理を行い（Ｓ２１２）、表示部１に送信する。図６Ａの例３は、テーマ別のテーマイメージ画像に関する表示例である。表示部１では、テーマ別の１つのテーマイメージ画像が表示され（Ｓ２１３）、操作入力部４では、選択操作表示画面に、分割ウィンドウに複数種類のテーマイメージ画像が同時に表示される（Ｓ２１４）。表示されるテーマイメージ画像は、２〜４種類であることが好ましい。表示する種類を絞ることで、多数の組み合せの中から選択する場合に比べて顧客が迷うことが少なくなり、スムーズに選択することができるようになる。なお、表示する種類の優先順位は、これまでに選択操作された種類を分析して行うようにすることができる。
【００３９】
そして、操作入力部４において、いずれかのテーマイメージ画像にタッチして選択操作が行われたかチェックし（Ｓ２１５）、選択操作が行われた場合（Ｓ２１５：ＹＥＳ）には、選択データを画像表示処理部２に送信する（Ｓ２１６）。画像表示処理部２は、選択データを受信すると、選択されたテーマイメージ画像の表示処理を行い、表示部１に選択されたテーマイメージ画像をリアルタイムで表示する。ステップＳ２１５において選択操作が行われない場合（Ｓ２１５：ＮＯ）には、決定ボタンにタッチする決定操作が行われたかチェックし（Ｓ２１７）、決定操作が行われていない場合（Ｓ２１７：ＮＯ）には、ステップＳ２１４に戻り、選択操作画面表示を継続する。決定操作が行われた場合（Ｓ２１７：ＹＥＳ）には、決定データを画像表示処理部２に送信する（Ｓ２１８）。
【００４０】
画像表示処理部２は、決定データを受信すると、内装全体イメージ画像処理を行い（Ｓ２１９）、決定されたテーマイメージ画像にインテリアカラーを付加した内装全体イメージ画像の画面表示のための処理を行う。そして、内装全体イメージ選択操作表示処理を行い（Ｓ２２０）、操作入力部４に送信する。また、決定されたテーマイメージ画像の内装全体イメージ画像の１つについて３次元画像による動画表示処理を行い（Ｓ２２１）、表示部１に送信する。図６Ａの例４は、内装全体イメージ画像の選択画面例であり、表示部１では、１つの内装全体イメージ画像が動画表示され（Ｓ２２２）、操作入力部４では、選択操作表示画面に、分割ウィンドウに複数種類の内装全体イメージ画像が同時に表示される（Ｓ２２３）。表示部１では、車内の視点から内部を見回すように内装全体イメージ画像が回動しながら画面表示されて顧客が内装全体を満遍なく見渡して確認することができる。
【００４１】
そして、いずれかの内装全体イメージ画像にタッチして選択操作が行われたかチェックし（Ｓ２２４）、選択操作が行われた場合（Ｓ２２４：ＹＥＳ）には、選択データを画像表示処理部２に送信する（Ｓ２２５）。画像表示処理部２は、選択データを受信すると、選択された内装全体イメージ画像の動画表示処理を行い、表示部１に選択された内装全体イメージ画像をリアルタイムで表示する。ステップＳ２２４において選択操作が行われない場合（Ｓ２２４：ＮＯ）には、決定ボタンにタッチする決定操作が行われたかチェックし（Ｓ２２６）、決定操作が行われていない場合（Ｓ２２６：ＮＯ）には、ステップＳ２２３に戻り、選択操作画面表示を継続する。決定操作が行われた場合（Ｓ２２６：ＹＥＳ）には、決定データを画像表示処理部２に送信する（Ｓ２２７）。
【００４２】
画像表示処理部２は、決定データを受信すると、決定された内装全体イメージ画像の動画表示を継続するよう処理し（Ｓ２２８）、表示部１では、決定された内装全体イメージ画像の動画表示を継続する（Ｓ２２９）。
【００４３】
図４は、シート画像の選択処理及び内装主要イメージ画像決定処理に関するフローである。画像表示処理部２は、内装全体イメージ画像が決定されると、シート画像処理を行い（Ｓ３００）、記憶部３よりテーマイメージ画像に対応したシートの部位及び色柄画像を読み出して内装全体イメージ画像に貼り付ける処理を行うとともにシートの確認しやすい視点からの画面表示処理を行う。そして、選択可能なシートの部位選択操作表示処理を行い（Ｓ３０１）、操作入力部４に送信する。また、内装全体イメージ画像に基づいて決定された内装イメージ画像の動画表示処理を行い（Ｓ３０２）、表示部１に送信する。図６Ｂの例５は、シートの部位に関する選択画面例を示しており、表示部１には、決定された内装イメージ画像として内装全体イメージ画像の動画表示が行われ（Ｓ３０３）、操作入力部４には、内装全体イメージ画像の白抜きの３次元画像を用いて選択可能な部位を識別可能に表示した各部位の選択操作画面が表示される（Ｓ３０４）。識別可能とするためには、例えば、選択可能な部位の領域を異なる色（例；グレー）で表示したり、光沢表示することができる。なお、操作入力部４に表示する選択操作画面に、例５に示すように、スキップボタンを表示しておき、シートの選択をスキップして次の加飾画像の選択処理に進むようにすることもできる。
【００４４】
次に、操作入力部４において、選択可能な部位のいずれかにタッチして選択操作が行われたかチェックし（Ｓ３０５）、選択操作が行われた場合（Ｓ３０５：ＹＥＳ）には、選択データを画像表示処理部２に送信する（Ｓ３０６）。選択操作が行われない場合（Ｓ３０５：ＮＯ）には、ステップＳ３０４に戻り、部位の選択操作画面を表示する。画像表示処理部２は、選択データを受信すると、選択された部位に関する色柄画像を処理して選択操作表示処理を行い（Ｓ３０７）、操作入力部４に送信する。図６Ｂの例６は、シートの色柄画像に関する選択画面例を示しており、操作入力部４には、選択された部位に関する複数種類の色柄画像を分割ウィンドウに同時に表示して選択操作可能とした色柄の選択操作画面が表示される（Ｓ３０８）。
【００４５】
そして、いずれかの色柄画像にタッチして選択操作が行われたかチェックし（Ｓ３０９）、選択操作が行われた場合（Ｓ３０９：ＹＥＳ）には、選択データを画像表示処理部２に送信する（Ｓ３１０）。画像表示処理部２は、選択データを受信すると、選択された色柄画像を合成した内装イメージ画像処理及び動画表示処理を行い（Ｓ３１１）、表示部１に送信して色柄画像を合成した内装イメージ画像をリアルタイムで表示する（Ｓ３１２）。ステップＳ３０９において選択操作が行われない場合（Ｓ３０９：ＮＯ）には、決定ボタンにタッチする決定操作が行われたかチェックし（Ｓ３１３）、決定操作が行われていない場合（Ｓ３１３：ＮＯ）には、ステップＳ３０８に戻り、色柄の選択操作画面表示を継続する。決定操作が行われた場合（Ｓ３１３：ＹＥＳ）には、決定データを画像表示処理部２に送信する（Ｓ３１４）。
【００４６】
画像表示処理部２は、決定データを受信すると、決定された部位の色柄画像を合成した内装イメージ画像処理及び動画表示処理を行い（Ｓ３１５）、表示部１に送信して決定された内装イメージ画像をリアルタイムで表示する（Ｓ３１６）。次に、シートの各部位で決定されていない部位があるかチェックし（Ｓ３１７）、決定されていない部位がある場合（Ｓ３１７：ＹＥＳ）には、ステップＳ３００に戻り、部位の選択処理及び選択された部位の色柄画像の決定処理を行う。決定されていない部位がない場合（Ｓ３１７：ＮＯ）には、決定された内装主要イメージ画像の動画表示を継続表示する処理を行い（Ｓ３１８）、表示部１に送信して内装主要イメージ画像の動画表示を継続して行う（Ｓ３１９）。
【００４７】
なお、シートの部位の選択順序は、シートの背面部分及び座面部分に対応するメイン部位→メイン部位の両側のサイド部位→ヘッドレストのヘッド部位となるように予め設定しておくことで、顧客の選択操作を支援するようにしてもよい。また、予め各部位の色柄画像をセットで設定したモデル画像を表示しておき、顧客がモデル画像を見ながら各部位の色柄画像を変更するようにしてもよい。
【００４８】
以上のようにシートの部位毎に色柄画像を選択して表示部１に動画表示しながら確認することができるので、内装のメインであるシートの画像を各部位毎にきめ細かく選択して実際の内装に近い状態を見ながら決定することが可能となる。そのため、シートの色柄の組み合せが多くなっても、内装全体イメージ画像に合った好みのシート画像をスムーズに合成して内装主要イメージ画像を生成することができる。
【００４９】
図５は、加飾画像の選択処理及び内装最終イメージ画像決定処理に関するフローである。画像表示処理部２は、内装主要イメージ画像が決定されると、加飾画像処理を行い（Ｓ４００）、記憶部３よりテーマイメージ画像に対応した加飾パーツの部位及び色柄画像を読み出して内装主要イメージ画像に貼り付ける処理を行うとともに加飾パーツの確認しやすい視点からの画面表示処理を行う。そして、選択可能な加飾パーツの選択操作表示処理を行い（Ｓ４０１）、操作入力部４に送信する。また、内装主要イメージ画像に基づいて決定された内装イメージ画像の動画表示処理を行い（Ｓ４０２）、表示部１に送信する。図６Ｂの例７は、加飾パーツに関する選択画面例を示しており、表示部１には、決定された内装イメージ画像として内装主要イメージ画像の動画表示が行われ（Ｓ４０３）、操作入力部４には、内装主要イメージ画像の白抜きの３次元画像を用いて選択可能な加飾パーツを識別可能に表示した選択操作画面が表示される（Ｓ４０４）。識別可能とするためには、例えば、選択可能な加飾パーツの領域を異なる色（例；グレー）で表示したり、光沢表示することができる。なお、操作入力部４に表示する選択操作画面に、例７に示すように、スキップボタンを表示しておき、加飾パーツの選択をスキップして終了処理することもできる。
【００５０】
次に、操作入力部４において、選択可能な加飾パーツのいずれかにタッチして選択操作が行われたかチェックし（Ｓ４０５）、選択操作が行われた場合（Ｓ４０５：ＹＥＳ）には、選択データを画像表示処理部２に送信する（Ｓ４０６）。選択操作が行われない場合（Ｓ４０５：ＮＯ）には、ステップＳ４０４に戻り、加飾パーツの選択操作画面を表示する。画像表示処理部２は、選択データを受信すると、選択された加飾パーツに関する色柄画像を処理して選択操作表示処理を行い（Ｓ４０７）、操作入力部４に送信する。図６Ｂの例８は、加飾パーツの色柄画像に関する選択画面例を示しており、操作入力部４には、選択された加飾パーツに関する複数種類の色柄画像を分割ウィンドウに同時に表示して選択操作可能とした色柄の選択操作画面が表示される（Ｓ４０８）。
【００５１】
そして、いずれかの色柄画像にタッチして選択操作が行われたかチェックし（Ｓ４０９）、選択操作が行われた場合（Ｓ４０９：ＹＥＳ）には、選択データを画像表示処理部２に送信する（Ｓ４１０）。画像表示処理部２は、選択データを受信すると、選択された色柄画像を合成した内装イメージ画像処理及び動画表示処理を行い（Ｓ４１１）、表示部１に送信して色柄画像を合成した内装イメージ画像をリアルタイムで表示する（Ｓ４１２）。ステップＳ４０９において選択操作が行われない場合（Ｓ４０９：ＮＯ）には、決定ボタンにタッチする決定操作が行われたかチェックし（Ｓ４１３）、決定操作が行われていない場合（Ｓ４１３：ＮＯ）には、ステップＳ４０８に戻り、色柄の選択操作画面表示を継続する。決定操作が行われた場合（Ｓ４１３：ＹＥＳ）には、決定データを画像表示処理部２に送信する（Ｓ４１４）。
【００５２】
画像表示処理部２は、決定データを受信すると、決定された加飾パーツの色柄画像を合成した内装イメージ画像処理及び動画表示処理を行い（Ｓ４１５）、表示部１に送信して決定された内装イメージ画像をリアルタイムで表示する（Ｓ４１６）。次に、決定されていない加飾パーツがあるかチェックし（Ｓ４１７）、決定されていない加飾パーツがある場合（Ｓ４１７：ＹＥＳ）には、ステップＳ４００に戻り、加飾パーツの選択処理及び選択された加飾パーツの色柄画像の決定処理を行う。決定されていない加飾パーツがない場合（Ｓ４１７：ＮＯ）には、決定された内装最終イメージ画像の動画表示を継続表示する処理を行い（Ｓ４１８）、表示部１に送信して内装最終イメージ画像の動画表示を継続して行う（Ｓ４１９）。
【００５３】
なお、予め各加飾パーツの色柄画像をセットで設定したモデル画像を表示しておき、顧客がモデル画像を見ながら各加飾パーツの色柄画像を変更するようにしてもよい。
【００５４】
以上のように加飾パーツ毎に色柄画像を選択して表示部１に動画表示しながら確認することができるので、内装のアクセントとなる加飾画像を１つ１つきめ細かく選択して実際の内装に近い状態を見ながら決定することが可能となる。そのため、加飾パーツの色柄の組み合せが多くなっても、内装主要イメージ画像に合った好みの加飾画像をスムーズに合成して内装最終イメージ画像を生成することができる。
【００５５】
生成された内装最終イメージ画像については、３次元画像で動画表示することができ、図７に示すように、表示部１に様々な視点から見た内装イメージ画像を表示することで、実際の内装に近い状態で確認することが可能となる。また、操作入力部４には、様々な視点から見た内装イメージ画像を分割ウィンドウに同時に表示しておくことで、多角的に内装を検討することができ、さらに各画像にタッチして視点を回動させながら表示して顧客が自由に内装イメージ画像を操作することもできる。
【００５６】
また、選択データ、決定データ等の選択操作に関するデータを管理情報ＤＢ２３に保存しておき、顧客が再度選択操作を行う場合には、前回のデータに基づいて優先的に画像表示するようにすることもできる。
【符号の説明】
【００５７】
１・・・表示部、２・・・画像表示処理部、３・・・記憶部、４・・・操作入力部、１０・・・テーマ画像処理部、１１・・・シート画像処理部、１２・・・加飾画像処理部、１３・・・表示処理部
【図１】
2017182560.tif 000003
【図２】
2017182560.tif 000004
【図３】
2017182560.tif 000005
【図４】
2017182560.tif 000006
【図５】
2017182560.tif 000007
【図６Ａ】
2017182560.tif 000008
【図６Ｂ】
2017182560.tif 000009
【図７】
2017182560.tif 000010